(57)【要約】【課題】直流電源を用いた照明システムにおいて、センサ装置の検知情報を伝送する無線機及び信号線を用いることなく、当該検知情報に基づいて照明器具を制御する。【解決手段】実施形態の一例であるセンサ装置３０は、直流電圧が印加されると共に、分岐配線１５を介して照明器具２０が接続される照明システム１０の主電源線１２に対して、照明器具２０よりも入力側に接続される。センサ装置３０は、対象物を検知して検知信号を出力する感知部３１と、主電源線１２に設置され、オンオフ動作によって照明器具２０よりも入力側で主電源線１２を接続又は切断するスイッチ３２とを備える。スイッチ３２は、感知部３１の検知信号に基づいてオンオフが制御される。【選択図】図１
2018106933.tif 000002
【特許請求の範囲】
【請求項１】
直流電圧が印加されると共に、分岐配線を介して照明器具が接続される照明システムの主電源線に対して、前記照明器具よりも入力側に接続されるセンサ装置であって、
対象物を検知して検知信号を出力する感知部と、
前記主電源線に設置され、オンオフ動作によって前記照明器具よりも入力側で前記主電源線を接続又は切断するスイッチと、
を備え、
前記スイッチは、前記検知信号に基づいてオンオフが制御される、センサ装置。
【請求項２】
前記センサ装置は、人感センサ装置であり、
前記スイッチは、少なくとも前記感知部により前記対象物が検知されている間、オン状態とされる、請求項１に記載のセンサ装置。
【請求項３】
前記センサ装置は、異常感知センサであり、
前記スイッチは、前記感知部により前記対象物が検知されている間、繰り返しオンオフされる、請求項１に記載のセンサ装置。
【請求項４】
前記検知信号に対応して設定された前記スイッチの所定のオンオフ動作によって、前記照明器具を調光又は調色する、又は前記照明器具に対して前記検知信号に基づく制御信号を出力する、請求項１〜３のいずれか１項に記載のセンサ装置。
【請求項５】
直流電圧を出力する直流電源装置と、
前記直流電圧が印加される主電源線と、
分岐配線を介して前記主電源線に接続された照明器具と、
前記主電源線において前記直流電源装置と前記照明器具との間に接続された請求項１〜４のいずれか１項に記載のセンサ装置と、
を備えた、照明システム。
【請求項６】
前記照明器具は、分岐配線を介して前記主電源線に複数接続され、
前記センサ装置は、前記主電源線において前記各照明器具の少なくとも１つよりも前記直流電源装置側に接続されている、請求項５に記載の照明システム。
【発明の詳細な説明】
【技術分野】
【０００１】
本開示は、センサ装置及び当該センサ装置を用いた照明システムに関する。
【背景技術】
【０００２】
特許文献１には、照明器具等に商用の交流電源から交流電力を供給するシステムであって、外部操作手段の操作信号及び人感センサの検知信号に基づいて照明器具を制御する照明システムが開示されている。また、人感センサ等のセンサ装置が組み込まれた照明システムにおいて、照明器具及びセンサ装置に対し、商用の交流電源から電力を供給するのではなく、直流電源から電力を供給するシステムも知られている。
【先行技術文献】
【特許文献】
【０００３】
【特許文献１】特開２００５−２８５５４２号公報
【発明の概要】
【発明が解決しようとする課題】
【０００４】
ところで、直流電源を用いた照明システムにセンサ装置を組み込む場合、照明器具を制御する親機に対し、無線機又は信号線を用いてセンサ装置の検知信号を伝えるという仕組みが考えられる。しかし、このようなシステムでは、例えば無線機を用いることによるコストアップ、或いは信号線を用いることによる施工負担の増加といった課題がある。
【課題を解決するための手段】
【０００５】
本開示の一態様であるセンサ装置は、直流電圧が印加されると共に、分岐配線を介して照明器具が接続される照明システムの主電源線に対して、前記照明器具よりも入力側に接続されるセンサ装置であって、対象物を検知して検知信号を出力する感知部と、前記主電源線に設置され、オンオフ動作によって前記照明器具よりも入力側で前記主電源線を接続又は切断するスイッチとを備え、前記スイッチは、前記検知信号に基づいてオンオフが制御されることを特徴とする。
【０００６】
本開示の一態様である照明システムは、直流電圧を出力する直流電源装置と、前記直流電圧が印加される主電源線と、分岐配線を介して前記主電源線に接続された照明器具と、前記主電源線において前記直流電源装置と前記照明器具との間に接続された上記センサ装置とを備えることを特徴とする。
【発明の効果】
【０００７】
本開示の一態様であるセンサ装置によれば、直流電源を用いた照明システムにおいて、センサ装置の検知情報を伝送するための無線機及び信号線を用いることなく、当該検知情報に基づいて照明器具を制御することが可能である。本開示の一態様であるセンサ装置を用いることで、上記無線機及び信号線が不要となり、低コストで施工性の良い照明システムを構築することができる。
【図面の簡単な説明】
【０００８】
【図１】実施形態の一例である照明システムのブロック図である。
【図２】実施形態の一例であるセンサ装置の回路図である。
【図３】図１に示す照明システムにおいて、照明器具の制御の一例を説明するための図である。
【図４】図１に示す照明システムにおいて、照明器具の制御の他の一例を説明するための図である。
【図５】実施形態の他の一例である照明システムのブロック図である。
【図６】実施形態の他の一例である照明システムのブロック図である。
【図７】実施形態の他の一例である照明システムのブロック図である。
【発明を実施するための形態】
【０００９】
以下、図面を参照しながら、本開示のセンサ装置及び照明システムの実施形態について詳細に説明する。但し、本開示のセンサ装置及び照明システムは、以下で説明する実施形態に限定されない。また、以下で説明する複数の実施形態の各構成要素を選択的に組み合わせることは当初から想定されている。
【００１０】
図１は、実施形態の一例である照明システム１０の構成を示すブロック図である。図１に例示するように、照明システム１０は、直流電圧を出力する直流電源装置１１と、当該直流電圧が印加される主電源線１２と、分岐配線１５を介して主電源線１２に接続された照明器具２０と、センサ装置３０とを備える。センサ装置３０は、主電源線１２において直流電源装置１１と照明器具２０との間に接続されており、主電源線１２に設置されたスイッチ３２を備える。本実施形態では、照明器具２０がそれぞれ分岐配線１５を介して主電源線１２に複数接続されている。
【００１１】
照明システム１０は、例えば３つの照明器具２０と、１つのセンサ装置３０とを備える。図１に示す例では、直流電源装置１１から延びる主電源線１２に対して、直流電源装置１１側から順に、１つのセンサ装置３０、３つの照明器具２０が接続されている。即ち、全ての照明器具２０が、主電源線１２においてセンサ装置３０の出力側に接続されている。この場合、センサ装置３０のスイッチ３２のオンオフによって全ての照明器具２０を制御することができる。
【００１２】
なお、照明システムを構成する照明器具２０及びセンサ装置３０の数は特に限定されない。照明器具２０は１つであってもよく、４つ以上であってもよい。複数の照明器具２０が設けられる場合、主電源線１２において各照明器具２０の少なくとも１つよりも直流電源装置１１側にセンサ装置３０が接続される。換言すると、センサ装置３０よりも電源側に照明器具２０が接続されてもよい（後述の図５参照）。また、センサ装置３０は複数設けられてもよい（後述の図６参照）。
【００１３】
照明システム１０を構成する照明器具２０及びセンサ装置３０は、例えば住居、オフィス、商業施設、工場などの屋内に設置される。本実施形態では、照明器具２０及びセンサ装置３０が同じ部屋、同じ廊下など、同じエリア内に設置されるものとする。直流電源装置１１は、照明器具２０及びセンサ装置３０と同じ場所に設置されてもよいし、別の場所に設置されてもよい。照明システム１０は照明器具２０を操作するための操作部（図示せず）を有していてもよく、直流電源装置１１は操作部に内蔵されていてもよい。
【００１４】
直流電源装置１１からセンサ装置３０を介して各照明器具２０に直流電力を供給するための主電源線１２は、高電位側電源線１２Ａと低電位側電源線１２Ｂの２本で構成されている。低電位側電源線１２Ｂは、接地されていることが好ましい。主電源線１２は、各照明器具２０及びセンサ装置３０を含む複数の機器が接続された電源線であって、複数の機器に電力を供給するための給電路である点で、１つの照明器具２０と主電源線１２とを接続する電源線である分岐配線１５と異なる。
【００１５】
直流電源装置１１は、商用の交流電源ＡＣと接続され、交流電源ＡＣの交流電圧を直流電圧に変換する装置である。交流電源ＡＣは、一般的にブレーカを含む分電盤（図示せず）を介して直流電源装置１１に接続される。直流電源装置１１は、例えばＡＣ／ＤＣコンバータと、このコンバータを制御する制御回路とを有する。なお、直流電源装置１１として、二次電池等の蓄電装置、或いは直流電力を生成する太陽電池、燃料電池等が併用されてもよい。
【００１６】
直流電源装置１１は、主電源線１２に直流電圧Ｖ１を出力する。直流電圧Ｖ１は、例えば３６Ｖである。主電源線１２により直流電源装置１１から供給される直流電力は、センサ装置３０を介して各照明器具２０に供給される。本実施形態では、直流電源装置１１とセンサ装置３０とを接続する２本の主電源線１３と、センサ装置３０から各照明器具２０側に延びる２本の主電源線１４と、後述する２本の主電源線３６とで、２本の主電源線１２が構成されている。
【００１７】
複数の照明器具２０は、上述のように、それぞれ分岐配線１５を介して主電源線１２に接続されている。照明器具２０の例としては、白熱電球、蛍光灯、ＬＥＤ（light emitting diode）などが挙げられるが、照明システム１０に特に好適なものはＬＥＤである。ＬＥＤは、無機ＬＥＤに限定されず、有機ＬＥＤ（ＯＬＥＤ）であってもよい。複数の照明器具２０は、互いに種類が異なる器具であってもよいが、本実施形態では同じ器具を用いるものとする。
【００１８】
照明器具２０は、一般的に光源２１と、光源２１を安定に点灯させるための点灯装置２２とを有する。照明器具２０がＬＥＤである場合、点灯装置２２は、光源２１に流れる電流を一定に保つための定電流回路を有することが好ましい。光源２１は定電流回路の出力部に接続され、定電流回路によって光源２１に流れる電流が制御される。照明器具２０は、例えばＰＷＭ（pulse width modulation）方式による調光機能を有していてもよい。
【００１９】
センサ装置３０は、検知エリアにおける対象物の存在を検知すると共に、複数の照明器具２０を制御する機能を有する。検知エリアは、センサ装置３０の種類、設定、設置場所等により適宜変更できる。検知エリアは、センサ装置３０が設置されたエリア全体としてもよいし、当該エリアの一部としてもよい。センサ装置３０による検知対象は、照明器具２０の点灯のトリガーとなるものであればよく、例えば人、照度、火災等の異常などが挙げられる。照明器具２０はセンサ装置３０の検知情報に基づいて制御されるが、その制御態様は点灯に限定されず、点滅状態とされてもよく、点灯状態から消灯されてもよい。照明器具２０の制御態様の詳細については後述する。
【００２０】
センサ装置３０の例としては、人感センサ装置、照度センサ装置、異常感知センサ装置などが挙げられる。人感センサ装置は、例えば人体から放射される赤外線を検知することで、検知エリアにおける人の存在を検知する。照度センサ装置は、例えば検知エリア内の床面等からの反射光を取得して、検知エリアの明るさを検知する。異常感知センサ装置は、例えば火災による温度上昇、煙、炎、又は二酸化炭素等のガスを検知することで、検知エリア又はその近くで火災等の異常が発生したことを検知する。
【００２１】
センサ装置３０は、上述の通り、直流電圧が印加されると共に、分岐配線１５を介して照明器具２０が接続される主電源線１２に対して、照明器具２０よりも入力側に接続されている。センサ装置３０は、直流電圧Ｖ１が入力される入力側端子である第１端子３４と、直流電圧Ｖ２を出力する出力側端子である第２端子３５とを備える。なお、スイッチ３２のオン状態が継続している場合、電圧Ｖ１，Ｖ２は実質的に同一である。本実施形態では、主電源線１３が第１端子３４に、主電源線１４が第２端子３５にそれぞれ接続されている。センサ装置３０には、装置内部で第１端子３４と第２端子３５とを接続し、主電源線１３，１４と共に主電源線１２を構成する主電源線３６が設けられている。
【００２２】
センサ装置３０は、対象物を検知して検知信号を出力する感知部３１と、主電源線１２に設置され、オンオフ動作によって照明器具２０よりも入力側で主電源線１２を接続又は切断するスイッチ３２とを備える。本実施形態では、主電源線３６にスイッチ３２が設置されている。スイッチ３２は、主電源線３６を構成する２本の電源線の一方に設置されていればよく、例えば高電位側電源線１２Ａに設置される。
【００２３】
スイッチ３２は、感知部３１の検知信号に基づいてオンオフが制御される。つまり、感知部３１の検知信号に基づいて高電位側電源線１２Ａの入力側と出力側とが接続又は切断される。スイッチ３２がオン状態のときは、高電位側電源線１２Ａが直流電源装置１１から各照明器具２０までつながり、各照明器具２０に直流電力が供給される。他方、スイッチ３２がオフ状態のときは、センサ装置３０内で高電位側電源線１２Ａが切断された状態であるから、各照明器具２０への電力の供給が遮断される。
【００２４】
スイッチ３２のオンオフ制御は、スイッチ制御部３３により実行される。感知部３１、スイッチ３２、及びスイッチ制御部３３は、センサ装置３０を構成する同じケース（図示せず）に内蔵され一体化されていることが好ましい。これらを一体化することで、センサ装置３０の施工性が向上する。但し、スイッチ３２を別体化して、例えば主電源線１３に設置することは可能である。
【００２５】
ここで、図２を参照しながら、センサ装置３０の構成について更に詳説する。図２は、センサ装置３０の回路構成の一例を示す。
【００２６】
図２に例示するように、センサ装置３０の感知部３１は、センサ素子を含むセンサ部４０と、スイッチ３２のオンオフを制御するための信号を出力する制御判断部４１とを有する。センサ装置３０のスイッチ制御部３３は、制御電源部４２と、スイッチ駆動部４３とを有する。図２に示す例では、スイッチ駆動部４３に搭載されたフォトＭＯＳリレー（ＩＣ１）が、主電源線３６の高電位側電源線１２Ａに設置されており、スイッチ３２を構成している。
【００２７】
スイッチ制御部３３には、更に、主電源線３６の高電位側電源線１２Ａと制御電源部４２を接続するダイオード（Ｄ１，Ｄ２）が設けられている。高電位側電源線１２Ａにおいて、ダイオード（Ｄ１）は第１端子３４とスイッチ３２の間に、ダイオード（Ｄ２）はスイッチ３２と第２端子３５の間にそれぞれ接続されている。図２では、主電源線１３が接続された入力側端子（入力部）を第１端子３４、主電源線１４が接続された出力側端子（出力部）を第２端子３５としているが、第１端子３４を出力部とし、第２端子３５を入力部としてもよい。図２に例示するセンサ装置３０は接続の方向性を持たないため、この装置を用いることで更に良好な施工性が得られる。
【００２８】
ダイオード（Ｄ１，Ｄ２）を介して高電位側電源線１２Ａに接続された制御電源部４２は、例えばツェナーダイオード（ＺＤ１）、ＭＯＳ電界効果トランジスタ（ＭＯＳＦＥＴ：Ｑ２）、コンデンサ（Ｃ１，Ｃ２）、及び抵抗（Ｒ１，Ｒ２，Ｒ３）で構成される。制御電源部４２は、例えば３６Ｖの直流電圧Ｖ１から、スイッチ駆動部４３で使用される５Ｖの直流電圧を生成する。また、当該５Ｖの直流電圧は感知部３１にも供給される。なお、制御電源部４２は、３端子レギュレータ、電源用ＩＣなどで構成されてもよい。
【００２９】
制御電源部４２から電力が供給されるスイッチ駆動部４３は、例えばスイッチ３２を構成するフォトＭＯＳリレー（ＩＣ１）、ＭＯＳＦＥＴ（Ｑ３）、及び抵抗（Ｒ１１）で構成される。フォトＭＯＳリレー（ＩＣ１）は、一般的にＬＥＤ、フォトダイオードアレイ、及びＭＯＳＦＥＴを内蔵する。後述するように、ＭＯＳＦＥＴ（Ｑ３）は感知部３１の検知信号（Ｓ１）により駆動するが、このとき、フォトＭＯＳリレー（ＩＣ１）のＬＥＤに電流が流れてＬＥＤが発光する。そして、その光をフォトダイオードアレイが受光して電圧を生成し、当該電圧がゲート電圧となってＭＯＳＦＥＴが駆動する、即ちスイッチ３２がオン状態となる。
【００３０】
対象物（人）を検知し、制御電源部４２に検知信号を出力する感知部３１は、上述の通り、センサ部４０と、制御判断部４１とを有する。図２に示す例では、人感検知用のセンサ素子として、人体から放射される赤外線を検知する焦電素子（ＰＩＲ１）が設けられている。人感検知用のセンサ素子には、焦電素子（ＰＩＲ１）の他に、電波式ドップラーセンサ素子、ＣＣＤ、ＣＭＯＳ等の画像センサ素子などを用いてもよい。センサ素子は、検知対象物に応じて適宜選択される。
【００３１】
焦電素子（ＰＩＲ１）は、一般的に焦電体、抵抗（Ｒ４）、及び接合型電界効果トランジスタ（ＪＦＥＴ：Ｑ４）を内蔵する。ＪＦＥＴ（Ｑ４）は、ドレイン端子が電源に接続され、ゲート端子が焦電体に接続されている。赤外線が焦電体に入射すると、焦電体から微弱信号が出力され、ＪＦＥＴ（Ｑ４）のゲート電圧が変化する。その結果、ソース端子から流出する電流量が変化し、ソース端子の近傍に接続された抵抗（Ｒ５）の両端電位差が変化することで、人の動きに起因する赤外線の変動が検知される。
【００３２】
センサ部４０は、例えば上記焦電素子（ＰＩＲ１）、上記抵抗（Ｒ５）、オペアンプ（ＩＣ３）、コンパレータ（ＩＣ４）、抵抗（Ｒ６，Ｒ７，Ｒ８，Ｒ９）、及びコンデンサ（Ｃ４，Ｃ５）で構成される。センサ部４０では、焦電素子（ＰＩＲ１）から電圧として出力された検知信号をオペアンプ（ＩＣ３）で増幅し、増幅した検知信号をコンパレータ（ＩＣ４）で任意の閾値と比較する。そして、検知信号が閾値以上であれば、コンパレータ（ＩＣ４）から制御判断部４１に信号Ｓが出力される。
【００３３】
センサ部４０から信号Ｓが入力される制御判断部４１は、例えばマイコン（ＩＣ２）で構成される。マイコン（ＩＣ２）は、入力された信号Ｓに基づいてスイッチ３２をオンさせる信号Ｓ１をスイッチ駆動部４３のＭＯＳＦＥＴ（Ｑ３）に出力する。マイコン（ＩＣ２）は、信号Ｓを受信すると、例えば後述の最短動作時間ｔ１、検知遅延時間ｔ２等を含む信号Ｓ１を出力する。或いは、マイコン（ＩＣ２）は、信号Ｓを受信したときに、信号Ｓ１の出力を停止してもよく（換言すると、信号Ｓを受信しないときに信号Ｓ１を出力する）、また信号Ｓ１を断続的に出力してもよい。
【００３４】
制御判断部４１のマイコン（ＩＣ２）から信号Ｓ１が出力されると、ＭＯＳＦＥＴ（Ｑ３）が駆動し、スイッチ３２を構成するフォトＭＯＳリレー（ＩＣ１）がオン状態となる。フォトＭＯＳリレー（ＩＣ１）は、オン状態で、高電位側電源線１２Ａの入力側と出力側を接続するため、高電位側電源線１２Ａが直流電源装置１１から各照明器具２０までつながって、各照明器具２０に直流電圧Ｖ２が印加され、各照明器具２０が点灯する。
【００３５】
なお、図２に示す例では、制御判断部４１から信号Ｓ１をスイッチ駆動部４３に出力しているが、センサ部４０の信号Ｓをそのままスイッチ駆動部４３に出力することも可能である。
【００３６】
図３は、センサ装置３０に人感センサ装置を適用した場合の照明器具２０の制御の一例を説明するための図である。図３は、センサ部４０から出力される信号Ｓ、制御判断部４１から出力される信号Ｓ１、及びセンサ装置３０から出力される電圧Ｖ２の関係を示す図である。（ａ）〜（ｃ）は、それぞれ異なる制御態様を示している。
【００３７】
センサ装置３０が人感センサ装置である場合、図３に示すように、少なくともスイッチ３２は感知部３１により対象物（人）が検知されている間、即ち信号Ｓが出力されている間、オン状態とされる。好ましくは、後述の最短動作時間ｔ１又は検知遅延時間ｔ２が設定される。但し、人が検知されているときに、例えばスイッチ３２のオンオフを繰り返して照明器具２０を点滅させる、或いは一定時間経過後に消灯させることも可能である。
【００３８】
図３（ａ）に示すように、感知部３１のセンサ部４０によって検知エリア内に人がいることが検知されると、まず信号Ｓが制御判断部４１に出力される。そして、制御判断部４１から信号Ｓ１がスイッチ駆動部４３に出力されてスイッチ３２がオン状態となり、第２端子３５から電圧Ｖ２が出力される。図３（ａ）に示す例では、信号Ｓが出力されている間、即ちセンサ部４０により人が検知されている間だけ、信号Ｓ１が出力され、スイッチ３２がオン状態となって各照明器具２０が点灯する。そして、人が検知されなくなれば、感知部３１は信号Ｓ，Ｓ１の出力を停止し、スイッチ３２はオフ状態となって各照明器具２０は消灯する。
【００３９】
他方、図３（ｂ）に示す例では、センサ部４０から信号Ｓが一度出力されると、ある一定の時間、信号Ｓ１を出力してスイッチ３２をオン状態とし、電圧Ｖ２を出力する。つまり、信号Ｓ，Ｓ１の出力状態を完全に一致させるのではなく、信号Ｓの出力開始から信号Ｓ１の出力を継続する最短の時間である最短動作時間ｔ１を設定している。
【００４０】
また、図３（ｃ）に示す例では、センサ部４０から信号Ｓが一度出力されると、その後、信号Ｓの出力が停止した場合でも、ある一定の時間、信号Ｓ１の出力を継続して出力電圧Ｖ２を維持する。つまり、信号Ｓの出力が停止された後、信号Ｓ１の出力を継続する最短の時間である検知遅延時間ｔ２を設定している。
【００４１】
センサ素子として一般的な焦電素子を使用した場合、人の動きが小さければ検知エリアに人がいても不検知になることがあるため、図３（ｂ，ｃ）に示す例では、時間ｔ１，ｔ２を設けて、人がいるときに照明器具２０が消灯しないようにしている。時間ｔ１，ｔ２は、例えば数十秒〜数分程度に設定される。
【００４２】
図４は、センサ装置３０に異常感知センサ装置を適用した場合の照明器具２０の制御の一例を説明するための図である。図４は、図３と同様に、センサ部４０から出力される信号Ｓ、制御判断部４１から出力される信号Ｓ１、及びセンサ装置３０から出力される電圧Ｖ２の関係を示す図である。
【００４３】
センサ装置３０が異常感知センサ装置である場合、図４に示すように、スイッチ３２は感知部３１により対象物（火災等の異常）が検知されている間、即ち信号Ｓが出力されている間、繰り返しオンオフされる。このように、スイッチ３２のオンオフを繰り返すことで照明器具２０を点滅させることができる。照明器具２０の点滅は、人が認識可能な間隔で実行される。かかる照明器具２０の点滅により、その場所にいる人は火災等の異常事態が発生したことを瞬時に認識することができ、迅速に避難することが可能となる。
【００４４】
具体的には、センサ部４０によって火災等の異常が検知されると、コンパレータ（ＩＣ４）から制御判断部４１を構成するマイコン（ＩＣ２）に信号Ｓが出力される。そして、信号Ｓを受けた制御判断部４１は、信号Ｓ１を断続的に出力する。即ち、信号Ｓ１の出力を所定の間隔で停止し、スイッチ３２を繰り返しオンオフさせる。これにより、フォトＭＯＳリレー（ＩＣ１）による高電位側電源線１２Ａの接続、切断が繰り返され、電圧Ｖ２が断続的に出力されて各照明器具２０が点滅する。
【００４５】
図４に示す例では、信号Ｓが出力された後、信号Ｓ１の断続的な出力によるスイッチ３２のオンオフを実行するまでに待機時間ｔ３が設定されている。待機時間ｔ３は、例えば数百ミリ秒〜数秒程度である。また、照明器具２０が点滅する時間ｔ４は、例えば１秒〜５秒程度である。照明器具２０の点滅は、信号Ｓが出力されている間、連続的に行われてもよいが、避難時の安全性等を考慮すると、時間ｔ４の点滅状態と時間ｔ５の点灯状態を繰り返すことが好ましい。時間ｔ５は、例えば時間ｔ４よりも長い時間とされる。
【００４６】
なお、図４に示す例では、制御判断部４１から信号Ｓ１が継続して出力され、照明器具２０が点灯している状態で、センサ部４０によって検知エリア内の異常が検知された場合を示している。照明器具２０が消灯している場合は、例えば信号Ｓを受信した制御判断部４１が信号Ｓ１を出力してスイッチ３２をオンとしてから、上述の点滅制御を実行する。
【００４７】
以上のように、センサ装置３０を備えた照明システム１０によれば、感知部３１の検知信号（センサ部４０の信号Ｓ）に基づくスイッチ３２のオンオフによって主電源線１２を構成する主電源線３６が接続又は切断される。センサ装置３０は、主電源線３６に設置されたスイッチ３２を内蔵し、感知部３１による検知情報に基づいて各照明器具２０への直流電力の供給又は遮断を制御する。つまり、センサ装置３０が取得した検知情報に基づき、主電源線１２を利用して複数の照明器具２０を直接制御するので、センサ装置３０の検知情報を無線機又は信号線を用いて親機等に伝送する必要がない。このため、照明システム１０は安価で施工性の良いシステムとなり得る。
【００４８】
上述の実施形態は本開示の目的を損なわない範囲で適宜設計変更できる。図５〜図７に実施形態の他の一例である照明システム５０，６０，７０を示す。図５〜図７は、図１に対応するブロック図である。以下では、先に説明する実施形態と同様の構成要素には同じ符号を用いて重複する説明を省略する。
【００４９】
図５に例示する照明システム５０は、複数の照明器具２０と１つのセンサ装置３０を備える点で、照明システム１０と共通する。一方、照明システム５０は、複数の照明器具２０の一部が主電源線１２においてセンサ装置３０よりも直流電源装置１１側に接続されている点で、照明システム１０と異なる。ここでは、主電源線１３に接続された照明器具２０を「照明器具２０ａ」、主電源線１４に接続された照明器具２０を「照明器具２０ｂ，２０ｃ」とする。
【００５０】
照明システム５０において、照明器具２０ｂ，２０ｃはセンサ装置３０の検知情報に基づいて制御されるが、例えば照明器具２０ａには直流電源装置１１から出力される直流電圧Ｖ１が常時印加され、照明器具２０ａはセンサ装置３０から独立して制御される。つまり、照明器具２０ａは直流電源装置１１からの電力の供給が遮断されない限り、センサ装置３０による対象物の検知の有無に関わらず常時点灯可能である。このような照明器具２０ａは、例えば誘導灯として有効である。
【００５１】
図６に例示する照明システム６０は、２つのセンサ装置３０を備える点で、照明システム１０と異なる。ここでは、２つのセンサ装置３０のうち、主電源線１２において直流電源装置１１側に接続された一方のセンサ装置３０を「センサ装置３０ａ」、他方のセンサ装置３０を「センサ装置３０ｂ」とする。照明システム６０では、センサ装置３０ａから出力される直流電圧Ｖ２がセンサ装置３０ｂに印加され、センサ装置３０ｂから出力される直流電圧Ｖ３が照明器具２０ｂ，２０ｃに印加される。この場合、照明器具２０ｂ，２０ｃは、２つのセンサ装置３０ａ，３０ｂの検知情報に基づいて制御される。
【００５２】
センサ装置３０ａ，３０ｂには、互いに異なった種類のセンサ装置が適用される。例えば、センサ装置３０ａに異常感知センサが適用され、センサ装置３０ｂに人感センサが適用される。また、センサ装置３０ａに人感センサを用い、センサ装置３０ｂに照度センサを用いてもよい。センサ装置３０ａ，３０ｂは主電源線１２を構成する主電源線６１によって互いに接続されているが、この主電源線６１に照明器具２０が接続されてもよい。この場合、この照明器具２０はセンサ装置３０ａの検知情報のみに基づいて制御される。
【００５３】
図７に例示する照明システム７０は、センサ装置３０のスイッチ３２のオンオフにより、主電源線１４に接続された複数の照明器具７１に制御信号を送信し、当該信号に基づいて各照明器具７１を制御できるように構成されている点で、照明システム１０と異なる。照明器具７１は、上記制御信号を受信する信号受信部２３を有する点を除き、照明器具２０と同様の構成を有する。ここでは、主電源線１４に接続された複数の照明器具７１をセンサ装置３０側から順に「照明器具７１ａ，７１ｂ，７１ｃ」とする。
【００５４】
照明システム７０において、センサ装置３０は、感知部３１の検知信号に対応して設定されたスイッチ３２の所定のオンオフ動作によって、各照明器具７１に対して検知信号に基づく制御信号を出力するように構成されている。つまり、制御信号はスイッチ３２のオンオフによって生成される。センサ装置３０は、例えばスイッチ３２を高速でオンオフさせ、主電源線１２を利用して検知信号に対応するＰＷＭ信号を各照明器具７１に出力する。スイッチ３２のオフ時間は、例えば数マイクロ秒〜数ミリ秒である。
【００５５】
具体的には、センサ部４０から信号Ｓが出力されると、制御判断部４１は信号Ｓに基づいてスイッチ３２をオンオフさせるために、信号Ｓ１を断続的に出力する。そして、信号Ｓ１によりスイッチ駆動部４３のＭＯＳＦＥＴ（Ｑ３）が駆動し、スイッチ３２を構成するフォトＭＯＳリレー（ＩＣ１）が高速にオンオフすることで、直流電圧に制御信号（ＰＷＭ信号）が重畳されて各照明器具７１に送信される。
【００５６】
各照明器具７１は、直流電圧に重畳された制御信号を読み取る信号受信部２３をそれぞれ有する。信号受信部２３は、読み取った制御信号を点灯装置２２の定電流回路に伝達し、定電流回路が制御信号に基づいて光源２１に流れる電流を制御する。これにより、照明器具７１（光源２１）は感知部３１の検知信号に基づいて調光又は調色される。なお、信号受信部２３は点灯装置２２の一部として構成されてもよい。
【００５７】
センサ装置３０から出力される制御信号には、照明器具７１ａ，７１ｂ，７１ｃの各々を識別するための固有情報（アドレス情報）が含まれていてもよい。この場合、センサ装置３０が各照明器具７１にそれぞれ対応した制御信号Ｓ71a，Ｓ71b，Ｓ71cを送信し、各照明器具７１の信号受信部２３がその器具に対応する固有の信号のみを取得する。これにより、感知部３１の検知信号に基づいて、特定の照明器具７１のみを調光又は調色することができ、或いは特定の照明器具７１のみを点灯、消灯、点滅させることもできる。例えば、照明器具７１ａを点灯させ、照明器具７１ｂ，７１ｃを点滅させることもできる。
【００５８】
なお、上記制御信号を直流電圧に重畳して照明器具７１に送信するものとして説明したが、センサ装置３０は、感知部３１の検知信号に対応して設定されたスイッチ３２の所定のオンオフ動作によって、照明器具７１を調光又は調色してもよい。つまり、スイッチ３２のオンオフを継続してオンオフのデューティサイクルを変化させることで、照明器具７１に印加される直流電圧Ｖ２を変化させ、照明器具７１を調光又は調色してもよい。
【符号の説明】
【００５９】
１０，５０，６０，７０  照明システム、１１  直流電源装置、１２，１３，１４，３６，６１  主電源線、１２Ａ  高電位側電源線、１２Ｂ  低電位側電源線、１５  分岐配線、２０，７１  照明器具、２１  光源、２２  点灯装置、２３  信号受信部、３０  センサ装置、３１  感知部、３２  スイッチ、３３  スイッチ制御部、３４  第１端子、３５  第２端子、４０  センサ部、４１  制御判断部、４２  制御電源部、４３  スイッチ駆動部
【図１】
2018106933.tif 000003
【図２】
2018106933.tif 000004
【図３】
2018106933.tif 000005
【図４】
2018106933.tif 000006
【図５】
2018106933.tif 000007
【図６】
2018106933.tif 000008
【図７】
2018106933.tif 000009